(57)【要約】【課題】ワイヤを規制要素とする煽止め具において、ドア開放時にワイヤが折り曲げられて傷むのを解消する。【解決手段】ドア１にブラケット４を、ドア枠２にホルダ５をそれぞれ固定する。ワイヤ８の一端に固定したエンド金具９をブラケット４で回動可能に支持する。ボールチャック７は、ホルダ５に対して屈曲変形可能なコイルばね６を介して装着する。ワイヤ８の自由端をボールチャック７に差し込み連結する。ドア１を開放すると、コイルばね６が撓んでボールチャック７をワイヤ８の緊張方向に指向させるので、ワイヤ８の折れ曲がりを一掃できる。コイルばね６の緩衝作用によって、ドア１の急開放時などの衝撃を吸収することもできる。【選択図】        図１
2004316357.tif 000002
【特許請求の範囲】
【請求項１】
ドア１の限界開量をワイヤ８で規定する煽止め具であって、ワイヤ８の一端に固定したエンド金具９を固定保持するブラケット４と、ワイヤ８の自由端が差し込み連結されるボールチャック７と、ボールチャック７を支持するホルダ５とを備えており、
ドア１とドア枠２とのいずれか一方にブラケット４が、他方にホルダ５がそれぞれ固定されており、
ボールチャック７が、ホルダ５に対して屈曲変形可能な筒状の可撓体６を介して装着されていることを特徴とする煽止め具。
【請求項２】
可撓体が、密巻状のコイルばね６であり、
コイルばね６の一端が、ボールチャック７のケース２１にねじ込み装着され、コイルばね６の他端が、ホルダ５にねじ込み装着されている請求項１記載の煽止め具。
【請求項３】
エンド金具９がブラケット４に回動可能に支持されており、
ブラケット４にワイヤ８の姿勢変化を吸収するための逃げ溝１３が形成されている請求項１または２記載の煽止め具。
【請求項４】
ケース２１に設けたねじ２７に、コイルばね６の一端がねじ込まれており、
コイルばね６の内外面のいずれかに、コイルばね６の拡縮変形を規制するカラー３０が配されている請求項２記載の煽止め具。
【発明の詳細な説明】
【０００１】
【発明の属する技術分野】
本発明は、揺動開閉可能なドアや窓に適用される煽止め具、なかでもワイヤを規制要素とする煽止め具に関する。
【０００２】
【従来の技術】
ワイヤを規制要素とする煽止め具は公知である（特許文献１参照）。そこでは、ワイヤの一端をボールチャックと取付金具を介してドア枠に固定し、ワイヤの他端を端金具と、端金具を受け止める取付板とを介してドアに固定している。取付金具は、平面から見て横長コ字状に形成してあり、一方の腕にボールチャックがねじ込み固定される。他方の腕にはガイド孔を通設してあり、ドア側からガイド孔に通したワイヤの端をボールチャックに差し込み連結している。
【０００３】
【特許文献１】
特開２００１−４９９３０号公報（段落番号０００７、図３）
【０００４】
【発明が解決しようとする課題】
上記の煽止め具は、ボールチャックに対するワイヤの差し込み量を加減することにより、ドアの限界開量を自由に変更できる。しかし、ドアを開放した状態において、取付金具のガイド孔の外面においてワイヤがく字状に折れ曲がるため、ドアが風に煽られてがた付くような場合に、ワイヤが反復屈曲されて傷みやすく、短期間で切断しやすい。開きかけたドアが、風に煽られて全開位置まで急に開放揺動するとき、先の折れ曲がり部分に応力が集中するので、ワイヤが損傷しやすい。切断したワイヤは長さが不足するので、新規ワイヤと交換する以外になく、その交換に手間とコストが掛かる。
【０００５】
本発明の目的は、ドア開放時のワイヤの折れ曲がりを解消して、ワイヤを規制要素とする煽止め具の耐久性を向上することにある。本発明の他の目的は、開きかけたドアが風に煽られて全開位置まで急に開放揺動する場合や、ドアが風に煽られてがた付くような場合に、ワイヤに作用する衝撃力や曲げ外力を緩和吸収して、ワイヤの損傷を解消し保護できる煽止め具を提供することにある。
【０００６】
【課題を解決するための手段】
本発明は、ドア１の限界開量をワイヤ８で規定する煽止め具において、ワイヤ８の一端に固定したエンド金具９を固定保持するブラケット４と、ワイヤ８の自由端が差し込み連結されるボールチャック７と、ボールチャック７を支持するホルダ５とを備えている。ドア１とドア枠２とのいずれか一方には、ブラケット４を、他方にホルダ５をそれぞれ固定する。そしてボールチャック７が、ホルダ５に対して屈曲変形可能な筒状の可撓体６を介して装着されていることを特徴とする。
【０００７】
前記可撓体としては密巻状のコイルばね６を用いることができ、コイルばね６の一端はボールチャック７のケース２１にねじ込み装着し、コイルばね６の他端はホルダ５にねじ込み装着できる。
【０００８】
エンド金具９はブラケット４に回動可能に支持し、ブラケット４にワイヤ８の姿勢変化を吸収するための逃げ溝１３を形成することができる。
【０００９】
ケース２１に設けたねじ２７には、コイルばね６の一端をねじ込み、コイルばね６の内外面のいずれかに、コイルばね６の拡縮変形を規制するカラー３０を配することができる。
【００１０】
【発明の作用効果】
本発明においては、ワイヤ８が連結されるボールチャック７を、コイルばねなどの可撓体６を介してホルダ５に装着した。以て、ドア１を開放した状態において、可撓体６が変形することにより、ボールチャック７をワイヤ８の緊張方向へ指向させるので、ボールチャック７とブラケット４との間でワイヤ８が折れ曲がるのを解消でき、ワイヤ８を規制要素とする煽止め具の耐久性が向上する（請求項１）。
【００１１】
可撓体が密巻状のコイルばね６であると、コイルばね６が弾性変形することで、ボールチャック７をワイヤ８の緊張方向へ指向させることができるので、開きかけたドア１が風に煽られて全開位置まで急に開放揺動する場合や、ドア１が風に煽られてがた付くような場合に、ワイヤ８に作用する衝撃力や曲げ外力を緩和吸収して、ワイヤ８の損傷を解消し保護できる。ワイヤ８の緊張力が開放されると、コイルばね６は自己の弾性によって直線姿勢に戻るので、ドア１を閉じた状態においてコイルばね６がドア１に接当緩衝するのを防止できる。
【００１２】
コイルばね６の螺旋構造を利用して、その両端をボールチャック７のケース２１と、ホルダ５に直接ねじ込み装着するようにした煽止め具によれば、コイルばね６とケース２１、およびコイルばね６とホルダ５との連結構造が簡素する分だけ、煽止め具これ全体の製作コストを削減できる（請求項２）。
【００１３】
エンド金具９をブラケット４で回動可能に支持し、ワイヤ８の姿勢変化を吸収する逃げ溝１３がブラケット４に形成されていると、ドア開放時のワイヤ８の姿勢変化に追随して、エンド金具９をワイヤ８の張り方向へ回動させ、このときのワイヤ８の動きを逃げ溝１３で吸収できるので、先の可撓体６によるワイヤ８の折れ曲がり防止作用に加えて、エンド金具９の近傍におけるワイヤ８の折れ曲がりをも確実に防止でき、従ってワイヤ８を規制要素とする煽止め具の耐久性と信頼性が更に向上する（請求項３）。
【００１４】
コイルばね６の内外面のいずれかに、コイルばね６の拡縮変形を規制するカラー３０を配して、コイルばね６をケース２１にねじ込み連結した煽止め具によれば、コイルばね６に外力が作用するとき、カラー３０でコイルばね６の縮小変形や拡大変形を規制して、コイルばね６がねじ２７やねじ軸３６のねじ山から外れて分離するのを確実に防止でき、従って煽止め具の信頼性をさらに向上でき、例えば、煽止め具が大形で大重量のドア１に適用される場合でも、煽止め作用を確実に発揮する（請求項４）。
【００１５】
【実施例】
図１ないし図５は本発明に係る煽止め具の実施例を示す。図１および図２において符号１はドア、２はドア枠、３はドア１を揺動開閉自在に支持するヒンジである。煽止め具は、ドア１の内面上部に固定されるブラケット４と、ドア枠２の上框に固定されるホルダ５と、コイルばね（可撓体）６を介してホルダ５に装着されるボールチャック７と、一端がブラケット４で固定保持され、他方の自由端がボールチャック７に差し込み連結されるワイヤ８とで構成してある。ワイヤ８の一端には丸棒状のエンド金具９をかしめ固定してある。
【００１６】
図３においてブラケット４は、半円状の係止座１１と、係止座１１の左右の締結座１２とを一体に形成したΩ字状のプレス金具からなり、係止座１１でエンド金具９を回動自在に受け止め支持する。係止座１１には、その円周方向に沿ってワイヤ８の姿勢変化を吸収する逃げ溝１３が形成されている。
【００１７】
ホルダ５は、締結座１５の一端から腕１６を直交状に折り曲げ形成したＬ字状のプレス金具からなり、腕１６にコイルばね６をねじ込み装着するためのねじ孔１７を形成してある。コイルばね６は、密巻状の圧縮コイルばねからなり、図４に示すように、その一端を先のねじ孔１７にねじ込み、さらにロックナット１８をコイルばね６の外周面にねじ込むことにより腕１６に固定される。
【００１８】
図３および図４においてボールチャック７は、内面にテーパー壁２０が形成してあるケース２１と、ケース２１内に挿嵌されて３個のスチール製のボール２２を保持するボールホルダ２３と、ボールホルダ２３をテーパー壁２０に向かって押し付け付勢する圧縮コイル形のばね２４などで構成する。常態において、３個のボール２２はテーパー壁２０に押されてボールホルダ２３の中心へ移動し、ボールホルダ２３の挿通孔２５に差し込んだワイヤ８をクランプ固定する。ケース２１の端部から突出するボールホルダ２３の操作軸２６を、ばね２４の付勢力に抗して押し込み操作すると、ボール２２によるクランプ状態を解除できる。
【００１９】
ボールチャック７は、先のコイルばね６の遊端に装着する。そのために、ケース２１の内面にねじ孔（ねじ）２７を形成し、コイルばね６のピッチをねじ孔２７のねじピッチと一致させている。外力を受けたコイルばね６が縮小変形すると、コイルばね６がねじ孔２７のねじ山から外れて分離することがある。このようなコイルばね６の分離を防ぐために、コイルばね６の端部内面にカラー３０を配置している。カラー３０は、コイルばね６の内面に嵌り込む筒軸３１と、筒軸３１の一端から張出されるフランジ３２とを一体に備えており、フランジ３２がコイルばね６の端部に接当することで、コイルばね６に対して位置決めされる。カラー３０はボールチャック７のばね２４の一端を受け止めるばね受具を兼ねている。
【００２０】
上記のようにボールチャック７をコイルばね６を介してホルダ５に固定すると、図１および図５に示すように、ドア１を開放した状態において、コイルばね６がたわみ変形してボールチャック７をワイヤ８の緊張方向へ指向させるので、ワイヤ８が局部的に折れ曲がるのを解消できる。また、ブラケット４で支持したエンド金具９は、ドア１の開放動作に追随して係止座１１の内部でワイヤ８の張り方向へ回動するが、このときのワイヤ８の動きを逃げ溝１３で吸収できるので、ドア１側においてワイヤ８が折れ曲がることもない。
【００２１】
開きかけたドア１が風に煽られて全開位置まで急に開放揺動する場合には、コイルばね６が伸張変形して衝撃力を吸収するので、ワイヤ８に無理な力が作用するのを解消できる。ドア１が風に煽られてがた付く場合には、コイルばね６が屈曲ないし伸張変形して曲げ外力を緩和吸収するので、この場合にもワイヤ８に無理な力が作用するのを解消できる。ドア１を閉じた状態においては、コイルばね６は図２に示すように、自己の弾性で直線姿勢に復帰するので、コイルばね６がドア１と接当干渉することはない。
【００２２】
図６はコイルばね６のケース２１に対する固定構造の変形例を示す。そこでは、ボールチャック７のケース２１に、ばね２４を受け止めるプラグ（ばね受具）３５をねじ込み固定する。プラグ３５にはケース２１の外面に突出するねじ軸（ねじ）３６を設けてあり、このねじ軸３６にコイルばね６を外嵌状にねじ込むことにより、コイルばね６をケース２１と一体化する。この実施例においては、ねじ軸３６にねじ込んだコイルばね６が外力を受けて拡開変形し、ねじ軸３６から分離するのを防ぐために、コイルばね６の外面にカラー３０を設けた。カラー３０の内面には、コイルばね６にねじ込まれる丸ねじからなるねじ孔３７が形成されている。
【００２３】
コイルばね６をケース２１に組むときは、予めカラー３０をコイルばね６にねじ込んだ状態で、コイルばね６の端部をねじ軸３６に対して限界位置までねじ込む。この状態で、カラー３０をケース２１側へねじ込み操作して、その端面をケース２１に密着接当させ、コイルばね６をロックする。なお、この実施例におけるねじ軸３６は、コイルばね６のねじ込み対象である点で、先の実施例におけるねじ孔２７に相当する。他は先の実施例と同じであるので、同じ部材に同じ符号を付してその説明を省略する。
【００２４】
上記の実施例以外に、可撓体６としてはフレキシブルパイプを適用できる。エンド金具９は球状に形成することができる。ブラケット４は、エンド金具９を回動可能に支持できる構造であればよく、その構造は実施例で説明した構造には限定されない。例えば、ｂ字状に形成することができる。同様に、ホルダ５は、コイルばね６をねじ込み装着するための腕１６を備えていればよく、その構造は実施例で説明した構造には限定しない。ブラケット４、およびホルダ５はそれぞれプレス金具である必要はない。
【図面の簡単な説明】
【図１】煽止め具の使用状態を示す斜視図である。
【図２】煽止め具の使用状態を示す一部破断正面図である。
【図３】煽止め具の構成部品の分解正面図と斜視図である。
【図４】ボールチャックの縦断面図である。
【図５】使用状態における煽止め具の動作を示す一部破断である。
【図６】コイルばねのケースに対する固定構造の変形例を示す断面図である。
【符号の説明】
１  ドア
２  ドア枠
４  ブラケット
５  ホルダ
６  コイルばね
７  ボールチャック
８  ワイヤ
９  エンド金具
１３  逃げ溝
２１  ケース
２７  ねじ孔
３０  カラー
【図１】
2004316357.tif 000003
【図２】
2004316357.tif 000004
【図３】
2004316357.tif 000005
【図４】
2004316357.tif 000006
【図５】
2004316357.tif 000007
【図６】
2004316357.tif 000008